(57)【要約】【課題】ＴＷＡＩＮを用いた端末装置からの操作により画像形成装置が原稿のスキャンを行うときにユーザーの作業効率を向上できる画像形成システムを提供する。【解決手段】ユーザーがＰＣ１００からＴＷＡＩＮドライバー処理部１０１ｂを起動すると、ＴＷＡＩＮドライバー処理部１０１ｂからアクションコマンドを画像形成装置２００のスキャン要求実行処理部２０１ａに送信する。スキャン要求実行処理部２０１ａは、アクションコマンドの応答としてスキャン処理設定コマンドをＴＷＡＩＮドライバー処理部１０１ｂに返信することで、ユーザーのスキャン開始操作が不要となる。ユーザーがＴＷＡＩＮドライバー処理部１０１ｂを停止すると、ＴＷＡＩＮドライバー処理部１０１ｂが終了する。ＴＷＡＩＮドライバー処理部１０１ｂの起動及び停止の操作以外は、ＰＣ１００からのユーザー操作が不要となり、ＰＣ１００と画像形成装置２００の間の移動回数を削減できる。【選択図】図１
2017079337.tif 000002
【特許請求の範囲】
【請求項１】
ＴＷＡＩＮを用いる端末装置と画像形成装置を有する画像形成システムにおいて、
前記端末装置は、
原稿をスキャンするためのアクションコマンドを前記画像形成装置に送信するＴＷＡＩＮドライバー手段を備え、
前記画像形成装置は、
前記アクションコマンドの応答として実行するスキャン処理が設定されたスキャン処理設定コマンドを前記端末装置に返信するスキャン要求実行手段を備え、
前記アクションコマンドと前記スキャン処理設定コマンドにより前記画像形成装置にセットされている原稿をスキャンした画像データを前記端末装置が受信することを特徴とする画像形成システム。
【請求項２】
前記端末装置は、
前記ＴＷＡＩＮドライバー手段を起動するＴＷＡＩＮドライバー起動手段と、
前記ＴＷＡＩＮドライバー手段を停止するＴＷＡＩＮドライバー停止手段と
を備えることを特徴とする請求項１に記載の画像形成システム。
【請求項３】
前記ＴＷＡＩＮドライバー手段は、
前記ＴＷＡＩＮドライバー手段が起動されたときにスキャナー使用予約コマンドを前記画像形成装置に送信するスキャナー使用予約コマンド送信手段と、
前記ＴＷＡＩＮドライバー手段が停止されるときにスキャナー使用解除コマンドを前記画像形成装置に送信するスキャナー使用解除コマンド送信手段と
を備えることを特徴とする請求項２に記載の画像形成システム。
【請求項４】
前記スキャン要求実行手段は、前記スキャナー使用予約コマンドを受信したときに起動され、前記スキャナー使用解除コマンドを受信したときに停止することを特徴とする請求項３に記載の画像形成システム。
【請求項５】
前記画像形成装置は、
原稿がセットされたことを検知する原稿自動検知手段を備え、
前記スキャン要求実行手段は、前記原稿自動検知手段により原稿がセットされたことを検知したときに原稿のスキャンを開始することを特徴とする請求項１から請求項４のいずれか１項に記載の画像形成システム。
【発明の詳細な説明】
【技術分野】
【０００１】
本発明は、ネットワークに接続されている端末装置と画像形成装置において、端末装置からの操作により画像形成装置が原稿の読み込み（以下、「スキャン」という）を行い、スキャンした原稿の画像を画像形成装置から端末装置が受信する画像形成システムに関する。
【背景技術】
【０００２】
最近の技術によれば、画像入力用のインターフェース規格であるＴＷＡＩＮ（Tool Without An Interesting Name）を用いる端末装置と、プリンター、多機能プリンター、多機能周辺装置、又は複合機（Ｍｕｌｔｉｆｕｎｃｔｉｏｎ  Ｐｅｒｉｐｈｅｒａｌ）である画像形成装置において、ユーザーが画像形成装置の原稿台に原稿をセットし、端末装置から原稿のスキャン操作を行うと、画像形成装置がスキャンを行った原稿の画像を端末装置が受信することができる。このようにＴＷＡＩＮを用いることで、端末装置は画像形成装置などのスキャナー機能を備えた装置を操作して、原稿の画像を容易に得ることができる。例えば、特許文献１のサーバー端末装置、クライアント端末装置、ネットワークシステム、ネットワークの機器利用方法及び記録媒体では、ＴＷＡＩＮを使用する端末装置がネットワーク上の画像読み取り機器を共有して画像を読み取り、また画像読み取り機器の制御を行うことで、端末装置が画像読み取り機器を共有する場合でも、ユーザーの端末装置からの作業を中断しないようにしている。
【先行技術文献】
【特許文献】
【０００３】
【特許文献１】特開２０００−１１５４４６号公報
【発明の概要】
【発明が解決しようとする課題】
【０００４】
しかし、ＴＷＡＩＮを用いることで、画像形成装置がスキャンした原稿の画像を端末装置が受信できるが、端末装置が画像形成装置と離れた場所に固定されているときには、ユーザーは、端末装置と画像形成装置の間を何回も移動しなければならないので作業効率が悪いという問題があった。例えば、書籍のページを連続してスキャンするときには、ユーザーは端末装置からスキャンを実行するドライバーを起動する操作を行うと、画像形成装置の原稿台にスキャンする書籍のページを開いてセットするために画像形成装置の前に移動する。次いで、スキャン開始操作を行うために端末装置の前に移動する。次いで、前のページのスキャンが完了すると画像形成装置の原稿台にスキャンする書籍の次のページを開いてセットするために画像形成装置の前に移動する。次いで、スキャン開始操作を行うために端末装置の前に移動する。また、スキャンを終了するときには、端末装置からスキャンを実行するドライバーを停止する操作を行うと、画像形成装置の原稿台にセットされている書籍を取りに行くために画像形成装置の前に移動する。このように、ユーザーは、端末装置と画像形成装置の間を何回も移動しなければならなかった。
【０００５】
本発明はこのような状況に鑑みてなされたものであり、上記課題を解決できる画像形成システムを提供することを目的とする。
【課題を解決するための手段】
【０００６】
本発明の画像形成システムは、ＴＷＡＩＮを用いる端末装置と画像形成装置を有する画像形成システムにおいて、前記端末装置は、原稿をスキャンするためのアクションコマンドを前記画像形成装置に送信するＴＷＡＩＮドライバー手段を備え、前記画像形成装置は、前記アクションコマンドの応答として実行するスキャン処理が設定されたスキャン処理設定コマンドを前記端末装置に返信するスキャン要求実行手段を備え、前記アクションコマンドと前記スキャン処理設定コマンドにより前記画像形成装置にセットされている原稿をスキャンした画像データを前記端末装置が受信することを特徴としている。
また、本発明の画像形成システムの前記端末装置は、前記ＴＷＡＩＮドライバー手段を起動するＴＷＡＩＮドライバー起動手段と、前記ＴＷＡＩＮドライバー手段を停止するＴＷＡＩＮドライバー停止手段とを備えることを特徴としている。
また、本発明の画像形成システムの前記ＴＷＡＩＮドライバー手段は、前記ＴＷＡＩＮドライバー手段が起動されたときにスキャナー使用予約コマンドを前記画像形成装置に送信するスキャナー使用予約コマンド送信手段と、前記ＴＷＡＩＮドライバー手段が停止されるときにスキャナー使用解除コマンドを前記画像形成装置に送信するスキャナー使用解除コマンド送信手段とを備えることを特徴としている。
また、本発明の画像形成システムの前記スキャン要求実行手段は、前記スキャナー使用予約コマンドを受信したときに起動され、前記スキャナー使用解除コマンドを受信したときに停止することを特徴としている。
また、本発明の画像形成システムの前記画像形成装置は、原稿がセットされたことを検知する原稿自動検知手段を備え、前記スキャン要求実行手段は、前記原稿自動検知手段により原稿がセットされたことを検知したときに原稿のスキャンを開始することを特徴としている。
【発明の効果】
【０００７】
本発明の画像形成システムは、ネットワークに接続されている端末装置と画像形成装置において、ＴＷＡＩＮを用いた端末装置からの操作により画像形成装置が原稿のスキャンを行うときに、ユーザーが端末装置と画像形成装置の間を移動する回数を削減することで、ユーザーの作業効率を向上させることができる。
【図面の簡単な説明】
【０００８】
【図１】本発明の実施形態に係る画像形成システムの機能構成を示す図である。
【図２】本発明の実施形態に係るリモートスキャン実行手順を示す図である。
【発明を実施するための形態】
【０００９】
まず、本発明を実施するための形態（以下、「実施形態」という）を、図面を参照して説明する。実施形態は、ＴＷＡＩＮを用いるドライバー（以下、「ＴＷＡＩＮドライバー」という）をインストールした端末装置と、画像形成装置のアプリケーションとの間でスキャン処理を自動で行うことで、ユーザーが端末装置からの操作を削減するものである。
【００１０】
実施形態における画像形成システム１０の機能構成について、図１を用いて説明する。図１に示す画像形成システム１０は、ＰＣ１００と画像形成装置２００で構成され、ＰＣ１００と画像形成装置２００は、ネットワーク３００で接続されている。
【００１１】
ＰＣ１００は、操作端末であり、画像形成装置２００のプリントドライバーがインストールされ、モノクロまたはカラーいずれかの印刷色、印刷用紙サイズ、印刷部数などを設定した印刷要求を画像形成装置２００に送信する。また、ＰＣ１００には、ＴＷＡＩＮドライバーがインストールされ、ＴＷＡＩＮドライバーにより画像形成装置２００の原稿台にセットされた原稿の画像データを画像形成装置２００から受信する。
【００１２】
画像形成装置２００は、プリンター、多機能プリンター、多機能周辺装置、又は複合機であり、ＰＣ１００からＴＷＡＩＮドライバーのコマンドを受信すると、原稿台にセットされている原稿のスキャンを行い、原稿をスキャンして作成した画像データをＰＣ１００に送信する。
【００１３】
まず、ＰＣ１００の機能構成について図１を用いて説明する。図１に示すようにＰＣ１００は、制御部１０１、補助記憶部１０２、操作表示部１０３、及びネットワーク通信部１０４を備え、これら各部はバスなどにより接続される構成となっている。
【００１４】
制御部１０１は、ＲＡＭやＲＯＭ等の主記憶手段、及びＣＰＵ(Central Processing Unit)等の制御手段を備えている。また、制御部１０１は、各種Ｉ／Ｏや、ＵＳＢ（ユニバーサル・シリアル・バス）等のインターフェース、バスコントローラー等を含む総合的なＰＣ１００のコントロールを行う。制御部１０１には、プリントドライバー処理部１０１ａとＴＷＡＩＮドライバー処理部１０１ｂが設けられている。
プリントドライバー処理部１０１ａは、ユーザーにより指定された印刷色、印刷用紙サイズ、印刷部数などを印刷要求の画像データに設定し、この印刷要求の画像データを画像形成装置２００に送信する。
ＴＷＡＩＮドライバー処理部１０１ｂは、ユーザーのＴＷＡＩＮドライバーを起動する操作により起動され、画像形成装置２００に対して動作の要求を行うコマンド（以下、「アクアクションコマンド」という）を送信し、アクションコマンドの応答として画像形成装置２００が実行するスキャン処理が設定されたコマンド（以下、「スキャン処理設定コマンド」という）を画像形成装置２００から受信する。ＴＷＡＩＮドライバー処理部１０１ｂが実行するＴＷＡＩＮドライバー処理の詳細については、後述する。
【００１５】
補助記憶部１０２は、フラッシュメモリー等からなる補助記憶装置で、制御部１０１が実行する処理のプログラムやデータを記憶する。補助記憶部１０２には、印刷画像データ保存エリア１０２ａとスキャン画像データ保存エリア１０２ｂが設けられている。
印刷画像データ保存エリア１０２ａは、画像形成装置２００に送信する印刷要求の画像データを保存する。
スキャン画像データ保存エリア１０２ｂは、画像形成装置２００から受信するスキャンされた原稿の画像データを保存する。
【００１６】
操作表示部１０３は、操作パネルを備え、操作パネルからユーザーの操作を入力し、また操作結果や通知メッセージを表示する。
【００１７】
ネットワーク通信部１０４は、ネットワーク３００に接続するための着脱可能なＬＡＮインターフェースを備えている。ＬＡＮインターフェースには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００１８】
次に、画像形成装置２００の機能構成について説明する。図１に示すように画像形成装置２００は、制御部２０１、補助記憶部２０２、記憶部２０３、ネットワーク通信部２０４、操作パネル２０５、操作パネル処理部２０６、スキャナー部２０７、画像形成部２０８、及び印刷部２０９を備えている。これらの各部は、バスなどにより接続されている。
【００１９】
制御部２０１は、ＭＰＵ(Micro Processing Unit)やＣＰＵ(Central Processing Unit)等による制御手段を備え、各種Ｉ／Ｏや、ＵＳＢ（ユニバーサル・シリアル・バス）等のインターフェース、バスコントローラー等を含む総合的な画像形成装置２００のコントロールを行う。制御部２０１には、スキャン要求実行処理部２０１ａの機能が設けられている。
スキャン要求実行処理部２０１ａは、ＰＣ１００からアクションコマンドを受信すると、アクションコマンドの応答としてスキャン処理設定コマンドをＴＷＡＩＮドライバー処理部１０１ｂに送信するアプリケーションである。スキャン要求実行処理部２０１ａが実行するスキャン要求実行の詳細については、後述する。
【００２０】
補助記憶部２０２は、フラッシュメモリー等からなる補助記憶装置で、制御部２０１が実行する処理のプログラムやデータが記憶される。補助記憶部２０２には、スキャン画像データ一時保存エリア２０２ａが設けられている。
スキャン画像データ一時保存エリア２０２ａは、スキャナー部２０７がスキャンした画像データを一時的に保存する。
【００２１】
記憶部２０３は、データやプログラムを保存するハードディスクドライブである。記憶部２０３には、画像データ保存エリア２０３ａが設けられている。
画像データ保存エリア２０３ａは、ネットワーク通信部２０４を経由してＰＣ１００から受信した印刷要求の画像データやスキャナー部２０７がスキャンした画像データにおいて、保存設定された画像データを保存する。
【００２２】
ネットワーク通信部２０４は、ネットワーク３００に接続するための着脱可能なＬＡＮインターフェースを備えている。ＬＡＮインターフェースには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２３】
操作パネル２０５は、操作メニューの表示、ユーザーの指による操作を受け付ける。また、ユーザーは操作パネル２０５から画像形成装置２００に設定する各種情報を入力し、操作結果や通知メッセージを表示する。
【００２４】
操作パネル処理部２０６は、画像形成装置２００が備えている機能の操作項目を操作パネル２０５に表示する処理、通知メッセージを表示する処理、及び操作パネル２０５からユーザーが行う操作に対する操作データ、またはユーザーが行う設定に対する設定データを入力する処理を行う。
【００２５】
スキャナー部２０７は、画像形成装置２００の原稿台にセットされた原稿のスキャンを行うもので、ユーザーによる操作パネル２０５からのスキャン要求、またはスキャン要求実行処理部２０１ａからのスキャン要求により、原稿台にセットされた原稿のスキャンを行うことができる。また、スキャナー部２０７は、原稿台に原稿がセットされたことを検知する原稿自動検知機能を備え、原稿がセットされると制御部２０１のスキャン要求実行処理部２０１ａに原稿セット検知通知を出力する。
【００２６】
画像形成部２０８は、ユーザーからの読み取り要求によりスキャナー部２０７で読み取った原稿を、印刷部２０９で印刷可能またはＦＡＸやメールで送信可能なデータ形式の画像データに変換する。
【００２７】
印刷部２０９は、印刷要求の画像データを、指定された印刷色、印刷用紙サイズの印刷用紙に指定された印刷部数で印刷する。
【００２８】
次に、本発明の実施形態に係るリモートスキャン実行手順について、図２を用いて説明する。リモートスキャン実行手順は、ユーザー操作、ＰＣ１００のＴＷＡＩＮドライバー処理部１０１ｂ、及び画像形成装置２００のスキャン要求実行処理部２０１ａにより実行される。以下、図２に示すリモートスキャン実行手順のステップ順に説明する。
【００２９】
（ステップＳ１０１）
まず、ユーザーがＰＣ１００の操作表示部１０３からＴＷＡＩＮドライバーを起動する操作を行うと、操作表示部１０３がＴＷＡＩＮドライバー起動通知を制御部１０１に出力する。制御部１０１は、ＴＷＡＩＮドライバー起動通知を入力すると、ＴＷＡＩＮドライバー処理部１０１ｂを起動する。
【００３０】
（ステップＳ１０２）
次いで、ＴＷＡＩＮドライバー処理部１０１ｂが起動されると、ＴＷＡＩＮドライバー処理部１０１ｂは、スキャナーの使用予約を行うためにスキャナー使用予約コマンドを画像形成装置２００に送信する。
【００３１】
（ステップＳ１０３）
次いで、画像形成装置２００の制御部２０１は、スキャナー使用予約コマンドを受信すると、スキャン要求実行処理部２０１ａを起動する。また、スキャン要求実行処理部２０１ａは、スキャナー使用中のメッセージを操作パネル処理部２０６により操作パネル２０５に表示する。
【００３２】
（ステップＳ１０４）
ステップＳ１０２に次いで、ＴＷＡＩＮドライバー処理部１０１ｂは、次のアクションを要求するget_next_actionコマンドをスキャン要求実行処理部２０１ａに送信する。
【００３３】
（ステップＳ１０５）
次いで、スキャン要求実行処理部２０１ａは、get_next_actionコマンドを受信すると、原稿セット要求コマンドをＴＷＡＩＮドライバー処理部１０１ｂに送信する。
【００３４】
（ステップＳ１０６）
ユーザーは、ステップＳ１０１のＴＷＡＩＮドライバーを起動する操作を行った後に、ＰＣ１００から画像形成装置２００の前に移動し、画像形成装置２００の原稿台に原稿をセットする。つまり、ステップＳ１０２〜ステップＳ１０５の処理に関係なく原稿を原稿台にセットできる。このときに、書籍などのようにユーザーが手動で原稿をセットするときには、ユーザーが原稿をセットした後に操作パネル２０５から原稿セット完了の操作を行う。このため、スキャン要求実行処理部２０１ａは、原稿のセットを要求するメッセージを操作パネル処理部２０６により操作パネル２０５に表示し、ユーザーが原稿をセットした後に操作パネル２０５から原稿セット完了の操作を行うまで待ち状態となる。スキャン要求実行処理部２０１ａが原稿セット完了の操作が行われるまで待ち状態となることで、ユーザーが原稿をセットする前または原稿の位置を決める前に、原稿がスキャンされることを防止することができる。また、原稿自動送り装置に原稿をセットするときには、原稿自動送り装置は原稿がセットされたことを自動的に検知してスキャン要求実行処理部２０１ａに通知するので、ユーザーによる原稿セット完了の操作は不要となる。
【００３５】
（ステップＳ１０７）
次いで、ＴＷＡＩＮドライバー処理部１０１ｂは、原稿セット要求コマンドを受信すると、次のアクションを要求するget_next_actionコマンドをスキャン要求実行処理部２０１ａに送信する。
【００３６】
（ステップＳ１０８）
次いで、スキャン要求実行処理部２０１ａは、get_next_actionコマンドを受信し、またスキャナー部２０７から原稿セット検知通知を入力すると、スキャン開始要求コマンドをＴＷＡＩＮドライバー処理部１０１ｂに送信する。
【００３７】
（ステップＳ１０９）
次いで、ＴＷＡＩＮドライバー処理部１０１ｂは、スキャン開始要求コマンドを受信すると、スキャン開始を要求するスキャン開始コマンドをスキャン要求実行処理部２０１ａに送信する。
【００３８】
（ステップＳ１１０）
次いで、スキャン要求実行処理部２０１ａは、スキャン開始コマンドを受信すると、スキャン要求をスキャナー部２０７に出力し、スキャナー部２０７が原稿のスキャンを行う。スキャナー部２０７がスキャンした原稿の画像データは、補助記憶部２０２のスキャン画像データ一時保存エリア２０２ａに保存される。このときに、原稿自動送り装置がスキャンする原稿が無いことを検知すると、スキャン要求実行処理部２０１ａにスキャン原稿が無いことを通知する。スキャン要求実行処理部２０１ａは、スキャンする原稿が無いことを通知されると、スキャンする原稿が無いことを通知するメッセージを操作パネル処理部２０６により操作パネル２０５に表示し、待ち状態となる。また、原稿自動送り装置に原稿がセットされると、原稿自動送り装置は、原稿がセットされたことを自動的に検知して、スキャン要求実行処理部２０１ａに通知する。スキャン要求実行処理部２０１ａは、原稿がセットされた通知を入力すると、スキャン要求をスキャナー部２０７に出力し、スキャナー部２０７が原稿のスキャンを行う。
【００３９】
（ステップＳ１１１）
ステップＳ１０９に次いで、ＴＷＡＩＮドライバー処理部１０１ｂは、次のアクションを要求するget_next_actionコマンドをスキャン要求実行処理部２０１ａに送信する。
【００４０】
（ステップＳ１１２）
次いで、スキャン要求実行処理部２０１ａは、get_next_actionコマンドを受信すると、画像取得要求コマンドをＴＷＡＩＮドライバー処理部１０１ｂに送信する。
【００４１】
（ステップＳ１１３）
次いで、ＴＷＡＩＮドライバー処理部１０１ｂは、画像取得要求コマンドを受信すると、画像取得を要求する画像取得コマンドをスキャン要求実行処理部２０１ａに送信する。
【００４２】
（ステップＳ１１４）
次いで、スキャン要求実行処理部２０１ａは、画像取得コマンドを受信すると、ステップＳ１１０でスキャンした原稿の画像データをスキャン画像データ一時保存エリア２０２ａから取り出し、ＴＷＡＩＮドライバー処理部１０１ｂに送信する。
【００４３】
（ステップＳ１１５）
次いで、ＴＷＡＩＮドライバー処理部１０１ｂは、画像データを受信すると、次のアクションを要求するget_next_actionコマンドをスキャン要求実行処理部２０１ａに送信する。
【００４４】
（ステップＳ１１６）
次いで、スキャン要求実行処理部２０１ａは、get_next_actionコマンドを受信すると、原稿セット要求コマンドをＴＷＡＩＮドライバー処理部１０１ｂに送信する。
【００４５】
（ステップＳ１１７）
ユーザーは、前の原稿がスキャンされたことを確認した後に、次の原稿を画像形成装置２００の原稿台にセットする。つまり、ユーザーは、画像形成装置２００の前に移動しているので、先の原稿が画像形成装置２００によりスキャンされたことを画像形成装置２００の動作により確認できる。
以降、スキャンする原稿がなくなるまでステップＳ１０７からステップＳ１１６までの処理が繰り返される。ユーザーはスキャンする原稿がなくなると、原稿を持ってＰＣ１００の前に移動する。
【００４６】
（ステップＳ１１８）
次いで、ユーザーが原稿のスキャンを終了するときには、ＰＣ１００の操作表示部１０３からＴＷＡＩＮドライバーを停止する操作を行う。操作表示部１０３がＴＷＡＩＮドライバーを停止する操作を入力すると、ＴＷＡＩＮドライバー終了コマンドをＴＷＡＩＮドライバー処理部１０１ｂに出力する。また、ステップＳ１０６またはステップＳ１１０において、スキャン要求実行処理部２０１ａが待ち状態のときに、ユーザーがスキャンを終了するときにも、ＰＣ１００の操作表示部１０３からＴＷＡＩＮドライバーを停止する操作を行う。
【００４７】
（ステップＳ１１９）
次いで、ＴＷＡＩＮドライバー処理部１０１ｂは、ＴＷＡＩＮドライバー終了コマンドを入力すると、スキャナーの使用予約を解除するためにスキャナー使用予約解除コマンドをスキャン要求実行処理部２０１ａに送信し、ＴＷＡＩＮドライバー処理を終了する。
【００４８】
（ステップＳ１２０）
次いで、スキャン要求実行処理部２０１ａは、スキャナー使用解除コマンドを受信すると、スキャナー使用解除のメッセージを操作パネル処理部２０６により操作パネル２０５に表示し、スキャン要求実行処理を終了する。
【００４９】
以上のような実施形態の画像形成システム１０において、ＰＣ１００のＴＷＡＩＮドライバー処理部１０１ｂからget_next_actionのアクションコマンドを画像形成装置２００のスキャン要求実行処理部２０１ａに送信し、スキャン要求実行処理部２０１ａがget_next_actionのアクションコマンドを受信すると、get_next_actionのアクションコマンドの応答として、画像形成装置２００がスキャン処理設定コマンドをスキャン要求実行処理部２０１ａに返信する。このように、ＰＣ１００と画像形成装置２００の間で、アクションコマンドとその応答コマンドであるスキャン処理設定コマンドを用いてスキャン処理を自動で行うことで、ユーザーによるスキャン開始の操作が不要となる。つまり、ユーザーはＰＣ１００からＴＷＡＩＮドライバー処理部１０１ｂを起動する操作とＴＷＡＩＮドライバー処理部１０１ｂを停止する操作を行う以外は、ＰＣ１００からの操作が不要となるので、ユーザーは、ＰＣ１００と画像形成装置２００の間を何回も移動する必要がなくなる。また、ユーザーが原稿を原稿台にセットしている間は画像形成装置２００の前に常駐することができるので、原稿を他の人に見られる、持ち去られる、または置き忘れる心配がなくなる。
【００５０】
なお、実施形態においては、画像形成システム１０は各々１台のＰＣ１００及び画像形成装置２００から構成されるようにしたが、各々複数のＰＣ１００及び画像形成装置２００から構成することも可能である。このように複数の画像形成装置２００が画像形成システム１０に設けられているときには、ユーザーは自分のＰＣ１００に最も近くに設置されている使用中でない画像形成装置２００を選択することも可能である。
また、ユーザーがＴＷＡＩＮを用いた従来の操作で原稿のスキャンを行うときには、実施形態のＴＷＡＩＮドライバーを従来のＴＷＡＩＮドライバーに切り替えることで、ユーザーは従来の操作で原稿のスキャンを行うことも可能である。
また、原稿台に原稿がセットされたことを検知する原稿自動検知機能をスキャナー部２０７が備えるようにしたが、これに限定されない。例えば、スキャナー部２０７が原稿自動検知機能を備えていないときには、ユーザーが原稿台に原稿をセットした後に、操作パネル２０５から原稿セット完了を手動で設定し、操作パネル２０５から原稿セット完了通知をスキャン要求実行処理部２０１ａに出力することも可能である。
【００５１】
このような本発明の画像形成システムは、ネットワークに接続されている端末装置と画像形成装置において、ＴＷＡＩＮを用いた端末装置からの操作により画像形成装置が原稿のスキャンを行うときに、ユーザーが端末装置と画像形成装置の間を移動する回数を削減することで、ユーザーの作業効率を向上させることができる。
【００５２】
以上、具体的な実施の形態により本発明を説明したが、上記実施の形態は本発明の例示であり、この実施の形態に限定されないことは言うまでもない。
【産業上の利用可能性】
【００５３】
本発明は、画像形成システムに好適であるが、画像形成システムに限られるものではなく、端末装置からのスキャン要求を実行できる装置一般に適用できる。
【符号の説明】
【００５４】
１０・・・・・画像形成システム
１００・・・・・ＰＣ
１０１・・・・・制御部
１０１ａ・・・・プリントドライバー処理部
１０１ｂ・・・・ＴＷＡＩＮドライバー処理部
１０２・・・・・補助記憶部
１０２ａ・・・・印刷画像データ保存エリア
１０２ｂ・・・・スキャン画像データ保存エリア
１０３・・・・・操作表示部
１０４・・・・・ネットワーク通信部
２００・・・・・画像形成装置
２０１・・・・・制御部
２０１ａ・・・・スキャン要求実行処理部
２０２・・・・・補助記憶部
２０２ａ・・・・スキャン画像データ一時保存エリア
２０３・・・・・記憶部
２０３ａ・・・・画像データ保存エリア
２０４・・・・・ネットワーク通信部
２０５・・・・・操作パネル
２０６・・・・・操作パネル処理部
２０７・・・・・スキャナー部
２０８・・・・・画像形成部
２０９・・・・・印刷部
３００・・・・・ネットワーク
【図１】
2017079337.tif 000003
【図２】
2017079337.tif 000004